(57)【要約】 【課題】  部品の軽減と組み立ての簡素化並びに省スペース化した電池パックを提供する。【解決手段】  ラミネート型リチウム二次電池１から引き出された平板状の正極端子２と負極端子３にそれぞれ取り付け穴４を設け、保護回路基板１１上の外部接続用正極ランド１２と外部接続用負極ランド１３にそれぞれ穴１４を設け、正負極端子２、３に設けられた取り付け穴４と、外部接続用正負極ランド１２、１３に設けられた穴１４をクランプ材２１の内側に設けた突起２３により位置決めし、クランプ材２１で正負極端子２、３と外部接続用正負極ランド１２、１３をそれぞれ固定した。【選択図】  図１
2007335289.tif 000002
【特許請求の範囲】
【請求項１】
リチウム二次電池から引き出された平板状の正極端子と負極端子にそれぞれ穴を設け、保護回路基板上の外部接続用正極ランドと外部接続用負極ランドにそれぞれ穴を設け、前記正負極端子に設けられた穴と、前記外部接続用正負極ランドに設けられた穴をクランプ材の内側に設けた突起により位置決めし、前記クランプ材で前記正負極端子と前記外部接続用正負極ランドをそれぞれ接続固定したことを特徴とする電池パック。  
【請求項２】
前記保護回路基板に切り欠きを設け、前記クランプ材に設けた固定用フックを前記切り欠きに嵌合し保護回路基板を固定したことを特徴とする請求項１記載の電池パック。
【請求項３】
前記クランプ材の内側に設けた突起が絶縁処理されたことを特徴とする請求項１または２記載の電池パック。
【請求項４】
前記保護回路基板の外部接続用正負極ランドの裏面の正負極接続用ランドと前記クランプ材との間に表面に突起を有し裏面にクランプ用凹部を有する絶縁用樹脂板を設けたことを特徴とする請求項１または２記載の電池パック。
【発明の詳細な説明】
【技術分野】
【０００１】
本発明は電池パックに関し、ラミネートフィルムで密閉されたリチウム二次電池と保護回路基板を組合わせた電池パックに関するものである。
【背景技術】
【０００２】
ラミネートフィルムで外装されたラミネート型リチウム二次電池には、通常過充電、過放電等から電池を保護するため保護回路基板が搭載され電池パックとしている。図４は従来の電池パックの分解斜視図である。電池パックは、ラミネート型リチウム二次電池１１１と保護回路基板２１１が接続された構造となっている。ラミネート型リチウム二次電池１１１からは正極端子１１２並びに負極端子１１３が引き出され、正極端子１１２にはさらに延長接続するための正極端子片１１４が取り付けられている。また、保護回路基板２１１には、ラミネート型リチウム二次電池１１１と接続するための正極接続用並びに負極接続用ランド２１２、２１３が設けられており、それぞれの正負極接続用ランド２１２、２１３に正極接続用端子３１１並びに負極接続用端子３１２が半田により接合され、さらに半田部分の盛り上がり部分の保護のためクッション材５１１を配置し、また外部接続のため設けられた正負極ランドと外部接続用リード線４１１が半田により接合される。次に、ラミネート型リチウム二次電池１１１から正極端子１１２を介して接続された正極端子片１１４並びに負極端子１１３と保護回路基板２１１に接合された正負極接続用端子３１１、３１２が溶接により接続される。このように組み立てられた後はラミネート型リチウム二次電池１１１の端面から保護回路基板２１１端面までは平板状に延びた形状になっている。
【０００３】
電池パックとして使用する際には、正負極端子１１２、１１３が露出しているため取り扱いによっては破断の恐れがあり、また端子間の距離が短いため端子曲がりによる短絡を生じるおそれがある。図５は、従来の電池パックの組み立てを説明する図であり、図５（ａ）は組み立て途中工程の斜視図、図５（ｂ）は組み立て後の斜視図である。ラミネート型リチウム二次電池１１１から延出された負極端子１１３と正極端子１１２と正極端子片１１４並びに保護回路基板２１１に接合された正負極接続用端子３１１、３１２を、図５（ａ）に示すように複数回（図５の場合は３回）折り曲げ、ラミネート型リチウム二次電池１１１の収納部１１５に図５（ｂ）に示すように配置するのが一般的である（例えば特許文献１参照）。
【０００４】
【特許文献１】特開２００５−１６６６４４号公報
【発明の開示】
【発明が解決しようとする課題】
【０００５】
しかしながら、従来の電池パックにおいては、ラミネート型リチウム二次電池の端面から保護基板の端面までは平板状に延びておりラミネート型リチウム二次電池の収納部分に配置するためには煩雑な折り曲げあるいは２回以上の折り畳み工程が必要となっていた。また、折り曲げ、折り畳み回数に応じ各端子において曲げの戻りが発生するため収納部において厚みが増すのとクッション材の厚みが加わり、さらに厚みが増す問題が発生する。さらに、保護回路基板に対するストレスも折り曲げ、折り畳み回数分加わるため実装部品の接続が破断する恐れがある。
【０００６】
本発明は、電池パック組み立て時の折り曲げ、折り畳みを最小限にして、部品を低減し、組立作業を簡素化し、厚さを抑え、保護回路基板へのストレスの少ない信頼性の高い電池パックを提供するものである。
【課題を解決するための手段】
【０００７】
本発明の電池パックは、リチウム二次電池から引き出された平板状の正極端子と負極端子にそれぞれ穴を設け、保護回路基板上の外部接続用正極ランドと外部接続用負極ランドにそれぞれ穴を設け、前記正負極端子に設けられた穴と、前記外部接続用正負極ランドに設けられた穴をクランプ材の内側に設けた突起により位置決めし、前記クランプ材で前記正負極端子と前記外部接続用正負極ランドをそれぞれ接続固定したことを特徴とする。また、前記保護回路基板に切り欠きを設け、前記クランプ材に設けた固定用フックを前記切り欠きに嵌合し保護回路基板を固定してもよいし、また前記クランプ材の内側に設けた突起が絶縁処理されてもよいし、また前記保護回路基板の外部接続用正負極ランドの裏面の正負極接続用ランドと前記クランプ材との間に表面に突起を有し裏面にクランプ用凹部を有する絶縁用樹脂板を設けてもよい。
【発明の効果】
【０００８】
本発明の電池パックによれば、リチウム二次電池から引き出された正負極端子と、保護回路基板をクランプ材で固定することにより、正負極端子の延長部材が不要となり、折り曲げあるいは折り畳みが１回となるとともにクッション材も不要となり組立作業が簡素化されると共に厚さが抑えられ省スペース化に寄与できる等の効果がある。
【発明を実施するための最良の形態】
【０００９】
次に、本発明の実施の形態を図面を参照して説明する。
【００１０】
図１は、本発明の第一の実施の形態の電池パックの分解斜視図である。本発明の電池パックの構成について、電池としてラミネート型リチウム二次電池を用いた場合について説明する。本発明の第一の実施の形態の電池パックは、図１に示すようにラミネート型リチウム二次電池１から引き出された正極端子２並びに負極端子３と、保護回路基板１１の正負極接続用ランド（保護回路基板は裏面からの斜視図であり正極接続用ランド並びに負極接続用ランドは図示できない）及び保護回路基板１１の裏面の外部接続用正極ランド１２並びに外部接続用負極ランド１３をクランプ材２１にて、嵌合接続を行い、電池から引き出された正負極端子を１回折り畳み、収納部分（ラミネート型リチウム二次電池は裏面からの斜視図であり収納部分は図示できない）に配置する電池パックであり、ラミネート型リチウム二次電池１の正負極端子２、３と保護回路基板１１の正負極接続用ランドを接続し、保護回路基板１１上の外部接続用正負極用ランド１２、１３から外部接続用リード線３１により電力を供給する。そのためクランプ材２１はバネ性と導電性を備えている。また、クランプによりラミネート型リチウム二次電池１の正負極端子２、３と保護回路基板１１の正負極接続用ランド並びに外部接続用正負極用ランド１２、１３を同時に嵌合接続するが、この状態では保護回路基板を介さずに直接外部に電力供給を行うため電池保護の回路基板は機能を果たさないので都合が悪い、そこで、ラミネート型リチウム二次電池１の正負極端子２、３をクランプする部分には絶縁処理が施されている。即ち、電気的には外部接続用正負極用ランド１２、１３から保護回路基板上の保護回路を通して正負極端子２、３に通じている。
【００１１】
また、上記電池パックでは、接続後の位置ずれを引き起こすことを防止するため、ラミネート型リチウム二次電池１から引き出された正負極端子２、３には所定の取り付け穴４を設けておき、また保護回路基板１１の正負極接続用ランド及び基板裏面には外部接続用正極ランド１２、並びに外部接続用負極ランド１３に穴１４を設け、さらに保護回路基板１１に切り欠き１５を設け、クランプ材２１には絶縁処理された突起２３と固定用フック２２を形成している。また、クランプ材２１には外部接続用リード線３１が半田により接合されている。
【００１２】
ラミネート型リチウム二次電池１の正負極端子２、３及び保護回路基板１１は、各々の取り付け穴４、および穴１４を基準に位置を合わせ、クランプ材２１の絶縁処理された突起２３により嵌合接続並びに固定がなされ、また保護回路基板１１とクランプ材２１は保護回路基板１１の切り欠き１５とクランプ材２１の固定用フック２２により嵌合し安定的な固定がなされる。
【００１３】
図２は、本発明の第一の実施の形態の電池パックの組み立てを説明する図であり、図２（ａ）は組み立て途中工程の斜視図、図２（ｂ）は組み立て後の斜視図である。ラミネート型リチウム二次電池１から延出された正負極端子２、３と保護回路基板１１がクランプ材２１により嵌合され、図５（ａ）に示すように１回の折り畳みにより、ラミネート型リチウム二次電池１の収納部１６に図５（ｂ）に示すように配置する。
【００１４】
図３は、本発明の第二の実施の形態の電池パックの分解斜視図である。ラミネート型リチウム二次電池１と保護回路基板１１は本発明の第一の実施の形態と同様であるがクランプ材４１と絶縁用樹脂板５１を組み合わせた電池パックである。
【００１５】
クランプ材４１はバネ性と導電性を備えており、また次に説明する絶縁用樹脂板５１を固定する突起４３並びに保護回路基板１１に設けられた切り欠き１５に組み込む固定用フック４２を形成している。絶縁用樹脂板５１には、ラミネート型リチウム二次電池１と保護回路基板１１を固定する突起５２が形成され、裏面にはクランプ材の突起４３が嵌るクランプ用凹部５３が形成されている。また、クランプ材４１には外部接続用リード線３１が半田により接合されている。
【００１６】
ラミネート型リチウム二次電池１の正負極端子２、３及び保護回路基板１１は、各々の取り付け穴４、および穴１４を基準に位置を合わせ、絶縁用樹脂板５１の突起５２により固定され、またクランプ材４１の突起４３により絶縁用樹脂板５１のクランプ用凹部５３が嵌ることにより嵌合接続並びに固定がなされる。また、保護回路基板１１とクランプ材４１は、保護回路基板１１の切り欠き１５とクランプ材４１の固定用フック４２により安定的な固定がなされる。
【００１７】
本発明の電池パックは、部品の軽減と組み立ての簡素化が図られており、コスト低減を図ることができ、また省スペース化も図られていることから小型機器の電池として供給ができかつ、端子の折り畳みを要する電池パックに有効である。
【図面の簡単な説明】
【００１８】
【図１】本発明の第一の実施の形態の電池パックの分解斜視図。
【図２】本発明の第一の実施の形態の電池パックの組み立てを説明する図、図２（ａ）は組み立て途中工程の斜視図、図２（ｂ）は組み立て後の斜視図。
【図３】本発明の第二の実施の形態の電池パックの分解斜視図。
【図４】従来の電池パックの分解斜視図。
【図５】従来の電池パックの組み立てを説明する図、図５（ａ）は組み立て途中工程の斜視図、図５（ｂ）は組み立て後の斜視図。
【符号の説明】
【００１９】
１    ラミネート型リチウム二次電池
２    正極端子
３    負極端子
４    取り付け穴
１１    保護回路基板
１２    外部接続用正極ランド  
１３    外部接続用負極ランド
１４    穴  
１５    切り欠き
１６    収納部    
２１    クランプ材  
２２    固定用フック  
２３  （絶縁処理された）突起  
３１    外部接続用リード線    
４１    クランプ材  
４２    固定用フック      
４３    突起  
５１    絶縁用樹脂板    
５２    突起
５３    クランプ用凹部
１１１    ラミネート型リチウム二次電池  
１１２    正極端子    
１１３    負極端子
１１４    正極端子片  
１１５    収納部        
２１１    保護回路基板
２１２    正極接続用ランド  
２１３    負極接続用ランド    
３１１    正極接続用端子      
３１２    負極接続用端子  
４１１    外部接続用リード線    
５１１    クッション材
【図１】
2007335289.tif 000003
【図２】
2007335289.tif 000004
【図３】
2007335289.tif 000005
【図４】
2007335289.tif 000006
【図５】
2007335289.tif 000007